(57)【要約】【課題】画像処理装置において、画像が有彩画像であるか無彩画像であるかを正確に判定する【解決手段】入力された画像データを所定角度だけ回転して、回転後画像データを出力する画像回転処理部２０２と、入力された画像データが有彩画像であるか、無彩画像であるかの第１判定結果と、回転後画像データが有彩画像であるか、無彩画像であるの第２判定結果を出力する有彩無彩判定部２０３と、第１判定結果と第２判定結果とに基づいて前記画像データが有彩画像であるか無彩画像であるかを判定して総合判定結果を出力する有彩無彩総合判定部２０４とを備える。【選択図】図２
2014165815.tif 000002
【特許請求の範囲】
【請求項１】
入力された画像データが有彩画像であるか、又は無彩画像であるかを判定して第１判定結果を出力する第１判定ステップと、
前記画像データを所定角度だけ回転して、回転後画像データを出力する画像回転ステップと、
前記回転後画像データが有彩画像であるか、又は無彩画像であるかを判定して第２判定結果を出力する第２判定ステップと、
前記第１判定結果と前記第２判定結果とに基づいて前記画像データが有彩画像であるか、又は無彩画像であるかを判定して総合判定結果を出力する総合判定ステップと、
を備えることを特徴とする画像処理方法。
【請求項２】
前記第１判定ステップ、及び前記第２判定ステップでは、連続して存在する有彩画素を検出して前記画像データが有彩画像であるか、又は無彩画像であるかを判定することを特徴とする請求項１に記載の画像処理方法。
【請求項３】
前記総合判定ステップでは、
前記第１判定ステップにおいて、前記画像データ中の連続する画素に基づいて前記画像データが無彩画像と判定され、かつ、前記第２判定ステップにおいて、前記回転後画像データ中の連続する画素に基づいて前記回転後画像データが有彩画像であると判定されたとき、
前記画像データが有彩画像であると判定することを特徴とする請求項１又は２に記載の画像処理方法。
【請求項４】
前記画像データは、読取装置から入力された画像データであり、
前記総合判定ステップでは、
前記読取装置が圧板を用いて画像読取手段を移動させて画像を読み取ったか、或いは固定した画像読取手段により画像を読み取ったか、に基づいて判定を行うことを特徴とする請求項１乃至３の何れか一項に記載の画像処理方法。
【請求項５】
前記画像データは、読取装置から入力された画像データであり、
前記総合判定ステップでは、
前記読取装置における画像読取用の光源の種類に基づいて判定を行うことを特徴とする請求項１乃至３の何れか一項に記載の画像処理方法。
【請求項６】
前記総合判定ステップでは、
前記第１判定ステップにおいて、前記画像データ中における有彩画素の連続数が所定の数を越えることが検出されたとき、前記第２判定結果にかかわらず、前記画像データを有彩画像と判定することを特徴とする請求項１又は２に記載の画像処理方法。
【請求項７】
前記総合判定ステップでは、
前記第１判定ステップにおいて、前記画像データ中における有彩画素の連続数が、所定の数を下回り、且つ該有彩判定画素数に１未満の所定の係数を乗じた数を越えることが検出されたとき、前記第２判定結果を総合判定結果として出力することを特徴とする請求項１又は２に記載の画像処理方法。
【請求項８】
前記総合判定ステップでは、
前記第１判定ステップにおいて、前記画像データから、画素のカウント方向と交差し且つ該画素のカウント方向とは逆の方向に連続する画素列が検出されたとき、前記第２判定結果を総合判定結果として出力することを特徴とする請求項１、２又は７に記載の画像処理方法。
【請求項９】
入力された画像データが有彩画像であるか、又は無彩画像であるかを判定して第１判定結果を出力する第１判定手段と、
前記画像データを所定角度だけ回転して、回転後画像データを出力する画像回転手段と、
前記回転後画像データが有彩画像であるか、又は無彩画像であるかを判定して第２判定結果を出力する第２判定手段と、
前記第１判定結果と前記第２判定結果とに基づいて前記画像データが有彩画像であるか、又は無彩画像であるかを判定して総合判定結果を出力する総合判定手段と、
を備えることを特徴とする画像処理装置。
【請求項１０】
入力された画像データが有彩画像であるか、又は無彩画像であるかを判定して第１判定結果を出力する第１判定ステップと、
前記画像データを所定角度だけ回転して、回転後画像データを出力する画像回転ステップと、
前記回転後画像データが有彩画像であるか、又は無彩画像であるかを判定して第２判定結果を出力する第２判定ステップと、
前記第１判定結果と前記第２判定結果とに基づいて前記画像データが有彩画像であるか、又は無彩画像であるかを判定して総合判定結果を出力する総合判定ステップと、
をプロセッサに実行させることを特徴とする画像処理プログラム。
【発明の詳細な説明】
【技術分野】
【０００１】
本発明は、画像が有彩画像か無彩画像であるかを判別する画像処理方法、画像処理装置、及び画像処理プログラムに関する。
【背景技術】
【０００２】
従来、デジタル複合機等には、画像読取装置で読み取った原稿画像が有彩画像なのか、或いは無彩画像なのかを判別する自動カラー選択機能（以下ＡＣＳ機能）が搭載されている。また、画像データを、読み取り時とは異なる用途で再利用しやすくするために、予め統一された画質で画像データをメモリ装置に蓄積して、蓄積された画像データに対してユーザーの要求に応じた画像処理を再度施し、画像を出力することも行われている。
このような装置では、メモリ装置に蓄積された画像データに対してユーザーの要求によって画像加工が施されたときに、ＡＣＳ機能の判定結果が覆ってしまうことになりかねない。これに対処するため、メモリ装置の後段にＡＣＳ機能を配置してメモリ装置から読み取った画像データを改めてＡＣＳ機能で判定することにより、適切な判定結果を出力することが行われている。
例えば特許文献１には、画像データ蓄積後の有彩／無彩判定の精度を維持する目的で、画像データ蓄積前後に有彩／無彩を判定する判定手段を有するものが記載されている。
【発明の概要】
【発明が解決しようとする課題】
【０００３】
しかし、従来の装置では、原稿の置き方や原稿の読取方向により有彩画素の連続性が変わることに起因して、有彩画像であるか無彩画像であるかのＡＣＳ機能による判定結果が変わってしまうという問題があった。
また、特許文献１に記載のものにあっては、原稿上の低彩度部については、原稿の置き方や原稿の読取方向により、ＡＣＳ機能による判定結果が変わってしまうという問題は解消できていない。
本発明は、上述の事情に鑑みてなされたものであり、その目的とするところは、画像が有彩画像であるか無彩画像であるかを正確に判定することができる画像処理方法、画像処理装置、及び画像処理プログラムを提供することである。
【課題を解決するための手段】
【０００４】
本発明に係る画像処理方法は、入力された画像データが有彩画像であるか、又は無彩画像であるかを判定して第１判定結果を出力する第１判定ステップと、前記画像データを所定角度だけ回転して、回転後画像データを出力する画像回転ステップと、前記回転後画像データが有彩画像であるか、又は無彩画像であるかを判定して第２判定結果を出力する第２判定ステップと、前記第１判定結果と前記第２判定結果とに基づいて前記画像データが有彩画像であるか、又は無彩画像であるかを判定して総合判定結果を出力する総合判定ステップと、を備えることを特徴とする。
【発明の効果】
【０００５】
本発明によれば、画像データが有彩画像であるか無彩画像であるかを示す第１判定結果と、所定角度回転させた回転後画像データが有彩画像であるか無彩画像であるかを示す第２判定結果と、に基づいて総合判定を行うので、画像データの向きによる画素の連続性の相違に起因する誤った判定を防止でき、適切な有彩無彩についての判定を行うことができる。
【図面の簡単な説明】
【０００６】
【図１】本発明の実施形態に係る画像処理装置の全体構成を示すブロック図である。
【図２】本発明の実施形態に係る画像処理装置の画像データ処理装置の構成を示すブロック図である。
【図３】有彩判定をしにくい原稿の例を示す模式図である。
【図４】画像データの回転処理を示す模式図である。
【図５】ユースケース別の総合判定結果を表で示す図である。
【図６】ユースケース別の総合判定結果を表で示す図である。
【図７】本発明の実施形態に係る画像処理装置の有彩無彩判定部の構成を示すブロック図である。
【図８】有彩画素の連続数と有彩判定基準との関係について説明する図である。
【図９】有彩画素検出部のパターンマッチングについて説明する図である。
【発明を実施するための形態】
【０００７】
本発明を実施するための形態に係る画像処理方法、画像処理装置、及び画像処理プログラムについて説明する。実施形態に係る画像処理装置は、入力された画像データと、回転処理された画像データがそれぞれ有彩色であるか、無彩色であるかの判定を行い、２つの判定結果から所定の条件に応じて総合判定を行い、適切に有彩色、無彩色であるかの判定を行う点に特徴がある。
【０００８】
以下本発明の実施形態に係る画像処理装置について説明する。図１は本発明の実施形態に係る画像処理装置の全体構成を示すブロック図である。なお、以下の説明は、実施形態を説明するものであり、本発明を限定するものではない。
実施形態に係る画像処理装置１００は例えばデジタルカラー複合機である。この画像処理装置１００は、複写機、プリンタ、スキャナ、ファクシミリとして使用されることにより、画像形成装置としても動作する。また、画像処理装置１００は、公衆回線を介して他のファクシミリ１５と接続され、またネットワークを介してパーソナルコンピュータ（ＰＣ）１６と接続されている。
画像処理装置１００は、画像読取装置である読取装置１、画像データ処理装置２、バス制御装置３、メモリ装置であるＨＤＤ（Hard Disk Drive）４、ＣＰＵ（Central Processing Unit）５、メモリ６、を備える。また、画像処理装置１００は、インタフェース装置であるプロッタＩ／Ｆ装置７、画像形成装置（画像処理部）であるプロッタ装置８、操作表示装置９、を備える。さらに画像処理装置１００は、インタフェース装置である回線Ｉ／Ｆ装置１０、インタフェース装置である外部Ｉ／Ｆ装置１１、Ｓ．Ｂ．（South Bridge）１２、ＲＯＭ（Read Only Memory）１３、外部メディア用スロット１４、を備える。
【０００９】
読取装置１は、ＣＣＤ（charge Coupled device）等からなるラインセンサと、Ａ／Ｄコンバータと各駆動回路を具備し、設置された原稿を走査することで得られる原稿の濃淡情報から、ＲＧＢ各８ビットのデジタル画像データを生成し出力する。
画像データ処理装置２は、読取装置１から出力されたデジタル画像データに対し、予め定めた特性に統一する処理（例えば画質を統一する処理）を施して出力する。統一する特性は、画像データをＨＤＤ４に蓄積し、その後再利用する場合に、出力先の画像変換に適するものとする。
バス制御装置３は、画像処理装置１００内で必要な画像データや制御コマンド等の各種データのやり取りを行うデータバスの制御装置であり、複数種のバス規格間のブリッジ機能も有している。
【００１０】
画像データ処理装置２とＣＰＵ５とは、ＰＣＩ−Ｅｘｐｒｅｓｓバスで接続され、ＨＤＤ４とはＡＴＡバス（Advanced Technology Attachmentバス）で接続するものであって、ＡＳＩＣ（Application Specific Integrated Circuit）化されている。ＨＤＤ４は、パーソナルコンピュータなどにも使用されている電子データを保存するための大型の記憶装置であり、この画像処理装置１００では主にデジタル画像データ及びデジタル画像データの付帯情報（例えば、設定モードなど）を蓄積する。また、この例では、ＩＤＥ（Integrated Drive Electronics）を拡張して規格化されているＡＴＡバス接続のハードディスクを使用する。
ＣＰＵ５は、プロセッサとして画像処理プログラムを実行し、デジタルカラー複合機の制御全体を司る。メモリ６は、複数種のバス規格間をブリッジする際の速度差や、接続された部品自体の処理速度差を吸収する。このために、メモリ６は、揮発性メモリであり、一時的にやり取りするデータを記憶したり、ＣＰＵ５がデジタルカラー複合機の制御を行う際に、プログラムや中間処理データを一時的に記憶する。
ＣＰＵ５には高速処理を求められるため、通常起動時にＲＯＭ１３に記憶されたブートプログラムにてシステムを起動し、その後は高速にアクセス可能なメモリ６に展開されたプログラムによって処理を行う。本実施形態においては、規格化されたパーソナルコンピュータに使用されているＤＩＭＭ（Dual Inline Memory Module）を使用する。プロッタＩ／Ｆ装置７は、ＣＰＵ５汎用規格Ｉ／Ｆ経由で送られてくるＣＭＹＫ（Cyan Magenta Yellow Key plate）からなるデジタル画像データを受け取ると、プロッタ装置８の専用Ｉ／Ｆに出力するバスブリッジ処理を行う。
【００１１】
画像処理装置１００で使用している汎用規格Ｉ／Ｆは、ＰＣＩ−Ｅｘｐｒｅｓｓバスである。プロッタ装置８は、ＣＭＹＫからなるデジタル画像データを受け取ると、レーザビームを用いた電子写真プロセスで、転写紙に受け取った画像データを出力する。Ｓ．Ｂ．１２は、パーソナルコンピュータに使用されるチップセットの一つであり、Ｓｏｕｔｈ  Ｂｒｉｄｇｅと呼ばれる汎用の電子デバイスである。主に、ＰＣＩ−ＥｘｐｒｅｓｓとＩＳＡブリッジ（Industry Standard Architectureブリッジ）を含むＣＰＵシステムを構築する際によく使用されるバスのブリッジ機能を汎用回路化したものであり、本実施形態においてはＲＯＭ１３との間をブリッジしている。
ＲＯＭ１３は、ＣＰＵ５がデジタルカラー複合機の制御を行う際のブートプログラムを含む各種プログラムを格納する。ここで、プログラムとしては、コピー動作プロセスのプログラム（コピーアプリケーション）やスキャナ配信プロセスのプログラム（スキャナ配信アプリケーション）、ファクシミリ送信プロセスのプログラム（ファクシミリアプリケーション）などがある。
操作表示装置９は、デジタルカラー複合機とユーザーのインタフェースを行う。操作表示装置９は、タッチパネルを設けたＬＣＤ（液晶表示装置）と各種処理モード設定キーや、置数キー、スタートキーなどを備えたキースイッチ群から構成される。これにより、装置の各種状態や操作方法をＬＣＤに表示し、ユーザーからのタッチパネルやキースイッチ群を介した入力を検知する。操作表示装置９は、ＰＣＩ‐Ｅｘｐｒｅｓｓバスを介してＣＰＵ５と接続されている。
【００１２】
ここで、ユーザーが選択することができる処理モードは、カラー／モノクロモード、アプリケーションモードや画質モードである。具体的には、カラー／モノクロモードとしては、フルカラーモード、シングルカラーモード、白黒モードなどがある。また、アプリケーションモードとしては、コピーモード、スキャナモード、ファクシミリモード、スキャナ配信モードなどがある。さらに、画質モードとしては、文字モード、文字写真モード、写真モードなどがある。また、原稿を濃くする、薄くするなどを示すノッチ数なども、ユーザーが選択することができる。
【００１３】
回線Ｉ／Ｆ装置１０は、ＰＣＩ−Ｅｘｐｒｅｓｓバスと電話回線を接続する。この回線Ｉ／Ｆ装置１０により、画像処理装置１００は、電話回線を介して画像出力装置（画像処理部）であるファクシミリ１５との各種データの授受を行うことが可能になる。
また、外部Ｉ／Ｆ装置１１は、画像処理装置１００のＰＣＩ−Ｅｘｐｒｅｓｓバスとパーソナルコンピュータなどの画像出力装置（画像処理部）である外部装置１６とを接続する。この外部Ｉ／Ｆ装置１１により、デジタルカラー複合機は、外部装置１６と各種データのやり取りを行うことが可能になる。
本実施形態では、その接続Ｉ／Ｆにネットワーク（Ｅｔｈｅｒｎｅｔ（登録商標））を使用する。即ち、画像処理装置１００は、外部Ｉ／Ｆ装置１１を介してネットワークに接続されている。なお、外部メディア１７は、インストールされたアプリケーションソフトやドライバについて外部メディア用スロット１４を介して、画像処理装置１００に対して各種制御や画像データの入出力を行うことができる。
【００１４】
次に、画像データ処理装置２について説明する。図２は本発明の実施形態に係る画像処理装置の画像データ処理装置の構成を示すブロック図である。画像データ処理装置２は、画像回転処理部２０２と、有彩無彩判定部２０３と、有彩無彩総合判定部２０４と、γ変換部２０５と、フィルタ処理部２０６と、色変換部２０７と、解像度変換部２０８と、中間調処理部２０９とを備える。
読取装置１で読み取られた原稿は入力画像データ２０１として、画像データ処理装置２に入力される。デジタル化された画像データは、そのまま有彩無彩判定部２０３でカラーかモノクロかを判定されて第１判定結果が出力される。一方で、画像回転手段である画像回転処理部２０２で回転された画像データは、有彩無彩判定部２０３でカラーかモノクロかを判別されて第２判定結果が出力される。有彩無彩総合判定部２０４で第１判定結果と第２判定結果と、所定の条件から総合判定結果を出力する。有彩無彩判定部２０３は、両者の判定を行うことにより、第１判定手段と第２判定手段として動作する。
【００１５】
次に、入力画像データ２０１は、γ変換部２０５で反射率を基にした特性から予め定められた特性に変換される。さらに、画像データはフィルタ処理部２０６で画像データの鮮鋭性やＳ／Ｎ比（Signal-Noise比）をプロッタ装置８に出力する場合の再現性が良くなるように補正する。色変換部２０７は、画像データのＲＧＢ各８ｂｉｔのデータを受け取ると、プロッタ装置８用の色空間であるＣＭＹＫ各８ｂｉｔに変換する。解像度変換部２０８は、ＣＭＹＫ画像データの解像度の変換をプロッタ装置８の性能に従って行う。中間調処理部２０９では、ＣＭＹＫ各８ｂｉｔを受け取ると、プロッタ装置８の階調処理能力に従った中間調処理を行う。
画像処理装置１００を複写機として使用する場合は、転写紙に複写される画像がユーザーの期待する画像と大きく異なると使用できない。またこの場合以外に、無彩画像を有彩画像として誤判定すると、複写に要するコストが高くなる。また、画像処理装置１００を画像データの配信用スキャナとして使用する場合には、本来無彩画像ならば明度に関する情報のみ必要なところ、有彩画像と判定したために色に関する情報が配信される。このため、配信されるファイルのサイズが大きくなり、ユーザー端末のＨＤＤドライブの容量を圧迫するという問題が発生する。そこで、有彩／無彩判定に使用されるパラメータは、無彩判定寄りに調整されることが多く、低彩度な色は無彩と判定されることがある。
【００１６】
図３は、有彩判定をしにくい原稿の例を示す模式図である。有彩か無彩かは、画像データ中の連続する画素に基づいて判定される。即ち、画像データ中の連続する有彩画素をカウントし、有彩画素の連続性（連続数）によって評価する手法が採られる。この原稿では、有彩画素が低彩度、且つ右上がりの斜め線であるため、有彩画素として判定しにくい。これは、有彩無彩判定においては、有彩画素候補と判定された画素が、スキャナの走査方向（図３の主走査、副走査の矢印方向）にカウントされるため、過去に遡る画素（画素のカウント方向とは逆の方向に連続する画素）について画素の連続性が保たれにくく、有彩と判定しにくいためである。そのため、原稿を縦方向に置いてスキャンした場合は無彩判定されるが、横方向に置くと有彩判定されるような現象が発生する。
実施形態に係る画像処理装置１００は、こうした原稿の置き方や向きにより、有彩／無彩判定結果が変わることがないように画像を回転する処理を施して回転後画像データを生成し、回転後画像データについて、再度有彩か無彩かの判定を行う。
【００１７】
図４は画像データの回転処理を示す模式図である。（ａ）は回転処理前の画像データ、（ｂ）は９０度回転処理した回転後画像データ、（ｃ）は２７０度回転処理した回転後画像データを示している。前述のように、低彩度な斜め線（右上がり）含む原稿は有彩判定されにくい。そこで、画像回転処理部２０２で画像データに回転処理を施し、回転後画像データを再度判定して、第２判定結果を得る。そして、回転処理前の画像データについての第１判定結果と、回転後画像データについての第２判定結果とに基づいて、有彩無彩総合判定部２０４で、再度判定して総合判定結果を得ることにより、より適切な判定を行う。
図４（ｂ）に示すように、画像回転処理部２０２で時計回りに９０度の回転処理を施して回転後画像データを作成する。回転処理を施すことにより、先ほどは右上がりであった低彩度部が、回転後画像データでは右下がりとなる。回転後画像データに対して、主走査、副走査の矢印方向に有彩画素をカウントするので、有彩画素の連続性が保たれやすくなり、より精度の高い判定を行うことができる。図４（ａ）に示した画像データは、第１判定結果は無彩判定となるが、第２判定結果では有彩判定されることになる。
【００１８】
また、図４（ｃ）に示すように、時計回りに２７０度の回転処理を施すこともでき、低彩度な斜め線が右上がりから右下がりになるため、上記と同じ効果が得られる。なお、この例では、回転処理の角度は９０度及び２７０度としたが、回転処理として任意の角度を設定することができる。
【００１９】
次に、実際に画像処理装置１００が使われる状況（ユースケース：ＵＣ）を想定した第１判定結果と第２判定結果に基づく総合判定について説明する。図５及び図６はユースケース別の総合判定結果を示す表である。
まず、図５に示した表１では、有彩画素のカウント方向依存性を考慮して、以下のように有彩判定を優先させている。まず、第１判定結果が有彩判定の場合（表１：ＵＣ１）は、第２判定結果の結果を問わず、第１判定結果より総合判定結果は有彩判定とする。また、第１判定結果が無彩判定の場合（表１：ＵＣ２、３）は、第２判定結果を総合判定結果とする。なお、結果を問わない場合には第２判定結果を処理中であれば処理をやめることが含まれる。このようにして、処理時間を短縮することができる。
【００２０】
図６に示した表２では、圧板を使用して原稿を固定し、画像読取手段を移動させて読み取った場合、有彩とした判定結果を優先させている。一方、ＡＤＦを使用して原稿を移動しつつ固定した画像読取手段を使用した場合は、ショックジターによる色ずれの誤判定を考慮して無彩とした判定を優先させている。
即ち、第１判定結果を優先する場合（表２：ＵＣ１、６）は、第１判定結果を総合判定結果とする。また、第２判定結果を優先する場合（表２：ＵＣ２、３、４、５）は、第２判定結果を総合判定結果とする。
また、スキャナの特性により走査方向を横切る低彩度な斜め線（画素のカウント方向と交差する方向に連続する画素列）が有彩判定しにくいことがある。このような事例は、例えば画像読取用の光源の種類に起因して生ずる。例えば、キセノンランプを光源とすると、白色光源よりも色度が赤方向にずれるため、有彩判定をしにくい。即ち、特に赤系の色が有彩判定しにくい傾向にある。このため、白色光源が搭載された機種では第１判定結果のみを使用し、色度が赤方向にずれた光源が搭載された機種の場合は、第１判定結果と第２判定結果を使用した総合判定結果を適用する、等の措置を講ずることが望ましい。
【００２１】
次に有彩無彩判定部２０３について説明する。図７は本発明の実施形態に係る画像処理装置の有彩無彩判定部の構成を示すブロック図である。有彩無彩判定部２０３は、色相分割部３０１、有彩検出部３０２、無彩検出部３０３、色画素判定部３０４、色画素カウント部３０５を備える。
色相分割部３０１は、画像データであるＲＧＢデータ、又は回転後画像データであるＲＧＢデータを色相分割し、各画素に対して有彩画素成分ＣＭＹの重み付けをする。有彩検出部３０２、無彩検出部３０３は、この色相分割結果から、Ｎ×Ｎのマトリクス内において、各画素が有彩画素か無彩画素かを検出する。色画素判定部３０４は、有彩検出部３０２、無彩検出部３０３の論理和をとって、色画素候補を決定する。そして、色画素カウント部３０５は、色画素の連続性を判定する。一定数の色画素が連続して存在することを確認すると、読取装置１に入力された画像データは有彩判定される。
有彩無彩判定部２０３では、ＲＧＢデータ（回転前の画像データ）による第１判定結果を出力する際に、色画素カウント部３０５にて一定数の色画素連続性を確認する。図８は有彩画素の連続数と有彩判定基準との関係について説明する図である。有彩と判定する基準は、色画素がＫ個連続すること（例えば１００画素連続すること）、のように設定することができる。図８に示した例では、有彩である画素列が途中で途切れ、画素の連続数が有彩判定基準に満たないため、モノクロ判定される。
【００２２】
図８に示す例では、途中で色画素が途切れてしまっている。しかし、左下の色画素列が右上の色画素列とつながれば有彩判定される可能性がある。図８に示す例では、原稿の読取方向や置き方によって、色画素が途切れてしまっている可能性があるため、回転処理後のＲＧＢデータによる第２判定結果を出力して、有彩か無彩かの総合判定をする。
ここで、回転前後の画像データに対して使用される有彩判定基準としての有彩判定画素数をＫ個とし、これに対する係数α（α＜１）とする。回転前の画像データから検出された有彩画素の連続数がＫ個には満たない（有彩画素の連続数がＫ個を下回る）が、（Ｋ＊α）個を満たしている場合に、回転処理後のＲＧＢデータによる第２判定結果を優先して総合判定結果とすることができる。このように、回転前の画像データについて有彩画素が所定数（Ｋ＊α個）連続することを検出した場合に、第２判定結果を総合判定結果とすることができる。
【００２３】
次に有彩検出部３０２でのパターンマッチングについて説明する。図９は有彩画素検出部のパターンマッチングについて説明する図である。回転後画像データに基づく有彩無彩判定（第２判定結果）は、回転前の画像データから所定方向に連続する画素列が検出された場合に優先することができる。
即ち、有彩検出部３０２では、ＮｘＮのマトリクス内において、各画素が有彩画素か無彩画素かを検出している。ここで、９×９のマトリクスによるパターンマッチングを行った結果、図９の各図に示すような走査方向を横切る右上がりの斜め線（画素のカウント方向と交差し、且つ画素のカウント方向とは逆の方向に連続する画素列）を検出したとする。この場合に、回転処理後のＲＧＢデータによる第２判定結果を出力して、有彩無彩の総合判定を行う。
さらに、図９の各図に示すような走査方向を横切る右上がりの斜め線を検出した場合に、少なくとも右上がり斜め線を含むエリアの回転処理後画像のデータ部分を対象として第２判定結果を出力し、有彩無彩の総合判定を行うようにしてもよい。
なお、白画素はＣ＝Ｍ＝Ｙ＝０であるので、図９に示す「白以外の画素」とはＣ＝Ｍ＝Ｙ＝０以外の画素を意味する。また、パターンマッチングのマトリクスサイズ、及びパターンマッチングの白以外の画素の並びについては、図９に示した例に限定するものではなく適宜選定できる。
【符号の説明】
【００２４】
１００…画像処理装置、２０１…入力画像データ、２０２…画像回転処理部（画像回転手段）、２０３…有彩無彩判定部（第１判定手段、第２判定手段）、２０４…有彩無彩総合判定部（総合判定手段）、２０５…γ変換部、２０６…フィルタ処理部、２０７…色変換部、２０８…解像度変換部、２０９…中間調処理部、２１０…画像データ、３０１…色相分割部、３０２…有彩検出部、３０３…無彩検出部、３０４…色画素判定部、３０５…色画素カウント部
【先行技術文献】
【特許文献】
【００２５】
【特許文献１】特開２０１１−２４４４３７公報
【図１】
2014165815.tif 000003
【図２】
2014165815.tif 000004
【図３】
2014165815.tif 000005
【図４】
2014165815.tif 000006
【図５】
2014165815.tif 000007
【図６】
2014165815.tif 000008
【図７】
2014165815.tif 000009
【図８】
2014165815.tif 000010
【図９】
2014165815.tif 000011